(57)【要約】【課題】チューナユニットの種類や実装状態に応じて、本体内のメモリ管理を効率的に行う。【解決手段】装置本体２０ａの電源２８を入れた際に直ちに無効化を行わずに、まず、メモリ２４に記憶されているチューナユニット１０ａの着脱履歴を調べ、チューナユニット１０ａが取り外された状態であるという履歴があるかを確認する。取り外されている場合にのみメモリ２４に格納されている放送波情報の無効化、すなわち削除を行う。したがって、ただ単に装置本体２０ａの電源２８が切られる度に情報を無効化するよりも、電源を入れるたびに自動的に装着履歴を調査して放送波情報の処理を判断するので、より効率的に情報の管理を行うことができる。【選択図】　　　図１
2004023451.tif 000002
【特許請求の範囲】
【請求項１】
装置本体に着脱可能なチューナ部を有するチューナユニットと、前記チューナユニットが受信可能な放送波に関する放送波情報を保存する記録手段と、前記チューナユニットの着脱操作の有無を判別する着脱操作判別手段とを設けたことを特徴とするデジタル受信装置。
【請求項２】
前記着脱操作判別手段が前記チューナユニットの着脱操作があったことを判別した場合には、前記記録手段に保持されている前記放送波情報を無効化することを特徴とする請求項１記載のデジタル受信装置。
【請求項３】
装置本体に着脱可能なチューナ部を有するチューナユニットと、前記チューナユニットが受信可能な放送波に関する放送波情報を保存する記録手段とを設け、
前記チューナユニットの装着状態と、その受信可能な放送波種類の情報を用いて、前記記録手段に保存されている前記放送波情報の有効性を判断することを特徴とするデジタル受信装置。
【請求項４】
前記チューナユニットが単数または同一種類で複数存在する場合には、前記記録手段における使用可能な全領域を、前記チューナユニットが受信可能な放送波に開放し、
複数種類のチューナユニットが存在する場合には、前記記録手段における使用可能な領域を各々のチューナユニットに対応する放送波で分割することを特徴とする請求項３記載のデジタル受信装置。
【請求項５】
複数放送波を受信した際に分割することを予め想定し、基本単位と拡張単位に区別して使用することを特徴とする請求項４記載のデジタル受信装置。
【請求項６】
装着された前記チューナユニットから得られる受信信号を解析し、放送波に含まれる放送波の種類を示す情報を用いて、前記チューナユニットの受信可能な放送波種類を判断することを特徴とする請求項５記載のデジタル受信装置。
【請求項７】
装着された前記チューナユニットが送出する受信信号の中に追加されたチューナユニットの受信可能な放送波種類を示す情報を用いて、前記チューナユニットの受信可能な放送波種類を判断することを特徴とする請求項５記載のデジタル受信装置。
【請求項８】
装着された前記チューナユニットが動作開始時に装置本体から選局指示を受け、前記選局指示の周波数範囲が前記チューナユニットの選局範囲でなかった場合には、前記チューナユニットは前記装置本体にエラー応答を返し、前記装置本体は該エラー応答のパラメータに基づいて、装着されている前記チューナユニットの種類を判断することを特徴とする請求項５記載のデジタル受信装置。
【発明の詳細な説明】
【０００１】
【発明の属する技術分野】
本発明は、チューナユニットを着脱可能なデジタル受信装置に関する。
【０００２】
【従来の技術】
従来より、チューナユニットを着脱可能なデジタル受信装置が種々開発されている。従来のデジタル受信装置では、チューナユニットの主流としてアナログ放送用のチューナカードが用いられていた。
【０００３】
例えば、特開平６−１１３２３１８号公報には、映像機器や情報機器に装着できるチューナを備えたカード型高周波機器が開示されている。このカード型高周波機器は、図１９に示すように、チューナ回路部５０、チャンネル制御回路部５３、復調回路部５４を備え、チューナ回路部５０内にＶＨＦ回路部５１とＵＨＦ回路部５２を有するものである。そして、このカード型高周波機器を映像機器や情報機器に装着して、映像機器や情報機器をテレビジョン受像機としても機能させる。
【０００４】
また、実開平３−１２２８９４号公報には、チューナブロックを装着できるゲーム機が開示されている。このゲーム機は、図２０に示すように、ゲーム機本体６０と、これに着脱可能なチューナブロック７０を備える。ゲーム機本体６０は、電源部６１、ゲーム駆動回路６２、音声回路６３、液晶表示体ブロック６４、スピーカ６５、スイッチ６６、ＩＣカード６７を備える。チューナブロック７０は、受信回路７１、ロッドアンテナ７２、突起部７３を備える。そして、チューナブロック７０をゲーム機本体６０に装着すると、突起部７３がスイッチ６６をオフしてゲーム駆動回路６２に対する電源部６１の電源供給を断ち、同時に、チューナブロック７０に電源を供給する。こうして、ゲーム駆動回路６２からの妨害電磁波を発生させずに、ゲーム機をテレビジョン受像機として機能させる。
【０００５】
さらに、特開平５−１６８０２１号公報には、着脱可能な衛星チューナが開示されている。この衛星チューナは、図２１に示すように、第２中間周波数変換回路８１、ＦＭ復調回路８２、ＱＰＳＫ／ＰＣＭ復調回路８３、デコーダ８４，８５、映像切換回路８６、音声切換回路８７、検出の出力回路８８を備える。こうして、この衛星チューナを機器本体に装着し、複数のスクランブル方式に応じて、映像切換回路８６と音声切換回路８７を切り換えて、テレビジョン受像機として機能させる。
【０００６】
【発明が解決しようとする課題】
これら従来の機器においては、選局のために本体側が必要な情報は、チャンネル番号と周波数のみであったため、情報量が少なく、何ら問題となっていなかった。ところが、デジタル放送に移行しつつある現在では、番組情報だけで数ＭＢのメモリが必要となっている。このため、異なる種類のチューナユニットが実装され、既に必要無くなった情報をそのまま保存しておくと、メモリを有効活用することができない。
【０００７】
そこで、従来のデジタル受信装置では、図２２に示すように、デジタル受信装置の電源がＯＮとなる毎に情報を無効化したり（Ｓ１０１）、チューナユニットが取り外される毎に情報を無効化していた（Ｓ１０２）。しかしながら、既に必要無くなった情報を破棄し、この情報を機器の起動毎に再取得したのでは効率が悪く、また、情報の中には先に取得しておかなければ選局ができない情報も存在する。
【０００８】
本発明は、上述した事情に鑑み提案されたもので、チューナユニットの種類や実装状態に応じて、本体内のメモリ管理を効率的に行うことが可能なデジタル受信装置を提供することを目的とする。
【０００９】
【課題を解決するための手段】
本発明に係るデジタル受信装置は、装置本体に着脱可能なチューナ部を有するチューナユニットと、前記チューナユニットが受信可能な放送波に関する放送波情報を保存する記録手段と、前記チューナユニットの着脱操作の有無を判別する着脱操作判別手段とを設けたことを特徴とする。
ここで、前記着脱操作判別手段が前記チューナユニットの着脱操作があったことを判別した場合には、前記記録手段に保持されている前記放送波情報を無効化する。
【００１０】
また、本発明に係るデジタル受信装置は、装置本体に着脱可能なチューナ部を有するチューナユニットと、前記チューナユニットが受信可能な放送波に関する放送波情報を保存する記録手段とを設け、前記チューナユニットの装着状態と、その受信可能な放送波種類の情報を用いて、前記記録手段に保存されている前記放送波情報の有効性を判断することを特徴とする。
【００１１】
ここで、前記チューナユニットが単数または同一種類で複数存在する場合には、前記記録手段における使用可能な全領域を、前記チューナユニットが受信可能な放送波に開放し、複数種類のチューナユニットが存在する場合には、前記記録手段における使用可能な領域を各々のチューナユニットに対応する放送波で分割する。
そして、複数放送波を受信した際に分割することを予め想定し、基本単位と拡張単位に区別して使用する。
【００１２】
装着された前記チューナユニットから得られる受信信号を解析し、放送波に含まれる放送波の種類を示す情報を用いて、前記チューナユニットの受信可能な放送波種類を判断してもよいし、
装着された前記チューナユニットが送出する受信信号の中に追加された前記チューナユニットの受信可能な放送波種類を示す情報を用いて、前記チューナユニットの受信可能な放送波種類を判断してもよいし、
装着された前記チューナユニットが動作開始時に前記装置本体から選局指示を受け、前記選局指示の周波数範囲が前記チューナユニットの選局範囲でなかった場合には、前記チューナユニットは前記装置本体にエラー応答を返し、前記装置本体は該エラー応答のパラメータに基づいて、装着されているチューナユニットの種類を判断してもよい。
【００１３】
本発明に係るデジタル受信装置は、上述した構成を備えているため、受信可能な放送波の種類に応じて、放送波情報を保存するためのメモリ領域（記録手段）を有効に活用することができる。また、放送波情報を不用意に再取得することによって、選局ができなくなるなどの弊害をなくすことができる。
【００１４】
【発明の実施の形態】
以下、本発明に係るデジタル受信装置の実施形態について、図面を用いて説明する。
【００１５】
＜第１実施形態＞
本発明に係る第１実施形態は、ＭＰＥＧ２再生機能付きの液晶ディスプレイなどのチューナ部を持たない電子機器（本体）に、チューナユニットを装着して、テレビジョン受像機としても機能するようにしたデジタル受信装置である。以下に、その実施例を説明する。
【００１６】
〔実施例１〕
図１は、本発明に係るデジタル受信装置の実施例１を示すブロック図である。このデジタル受信装置は、着脱自在なカード型チューナユニット１０ａと、装置本体２０ａとからなる。
【００１７】
チューナユニット１０ａは、チューナ部１１、復調部１２、インターフェース部１３、レジスタ１４を備える。このレジスタ１４は、チューナユニット１０ａが受信可能な放送波種類を示す放送波情報を記憶している。ここで、放送波種類とは、地上波デジタル波やＢＳデジタル波等をいう。
【００１８】
装置本体２０ａは、チューナユニット１０ａを装着するスロット部２１、インターフェース部２２、信号処理／制御部２３、メモリ２４、表示手段２５、音声出力手段２６、着脱操作判別手段２７を備える。また、ここで、表示手段２５は、例えば、液晶ディスプレイ装置であり、利用者に画像を提供する。音声出力手段１６は、スピーカであり、利用者に音声を提供する。
【００１９】
図１は、装置本体２０ａのスロット部２１にチューナユニット１０ａを装着した場合を示している。装置本体２０ａのスロット部２１にチューナユニット１０ａを装着すると、インターフェース部２２を介して着脱操作判別手段２７がチューナユニット１０ａの装着を検出し、信号処理／制御部２３にその検出信号を送出する。信号処理／制御部２３は、チューナユニット１０ａの装着状態を示す装着履歴と、チューナユニット１０ａのレジスタ１４にアクセスして取り出した放送波情報とをメモリ２４に記憶する。チューナ部１１は所定の放送波種類から所定のチャンネルの映像信号を抽出し、復調部１２はこの映像信号を復調する。この復調信号はインターフェース部１３，２２を介して信号処理／制御部２３に送られる。信号処理／制御部２３は、この信号を処理して表示手段２５と音声出力手段２６に送り、使用者に映像や音声を提供する。
【００２０】
実施例１に係るデジタル受信装置では、スロット部２１に地上デジタル放送用のチューナユニット１０ａを装着した場合に、メモリ２４内の放送波情報保存領域にレジスタ１４に記憶されていたチューナユニット１０ａの放送波情報（地上デジタル放送が受信可能という情報）が保存される。そして、チューナユニット１０ａが受信を開始してから十分な時間が経過した後には、地上デジタル放送用の情報の取得が終了し、装置本体２０ａもテレビ受像機として機能するのに有効な状態となる。
【００２１】
これ以降、装置本体２０ａの電源２８をオンオフしても、チューナユニット１０ａを取り外さない限りは、メモリ２４の放送波情報保存領域に保存されている放送波情報は、チューナユニット１０ａのレジスタ１４に保存された放送波情報と一致した状態、すなわち、情報が有効な状態のままとなる。
【００２２】
メモリ２４に記憶されている情報とチューナユニット１０ａのレジスタ１４に記憶されている情報の不一致が発生する場合、すなわち、メモリ２４に記憶されている放送波情報が無効になるのは、少なくともスロット部２１からチューナユニット１０ａを取り外した後である。したがって、スロット部２１からチューナユニット１０ａが取り外されたことを着脱操作判別手段２７が検知し、その結果に基づいて、信号処理／制御部２３が少なくともメモリ２４上の放送波情報が有効か否かを判断することができる。
【００２３】
上述したように、チューナユニット１０ａが外されたという履歴と、メモリ２４上の放送波情報保存領域に保存されている放送波に関する情報の有効性との間には密接な関係がある。
【００２４】
図２に、実施例１に係るデジタル受信装置における情報管理の手順を示す。
先に説明したように、従来のデジタル受信装置では、図２２に示すように、装置本体２０ａの電源２８をオンした場合と、チューナユニット１０ａが外された場合に、放送波に関する情報の無効化を行っていた（Ｓ１０１，Ｓ１０２）。
【００２５】
これに対して、実施例１に係るデジタル受信装置の信号処理／制御部２３は、図２に示すように、装置本体２０ａの電源２８を入れた際に直ちに無効化を行わずに、まず、メモリ２４に記憶されているチューナユニット１０ａの着脱履歴を調べ（Ｓ１）、チューナユニット１０ａが取り外された状態であるという履歴があるかを確認する（Ｓ２）。取り外されている場合にのみメモリ２４に格納されている放送波情報の無効化、すなわち削除を行う（Ｓ３）。
したがって、ただ単に装置本体２０ａの電源２８が切られる度に情報を無効化するよりも、電源を入れるたびに自動的に装着履歴を調査して放送波情報の処理を判断するので、より効率的に情報の管理を行うことができる。
【００２６】
〔実施例２〕
図３は、本発明に係るデジタル受信装置の実施例２を示すブロック図である。実施例１と共通部分には同一符合を付す。装置本体２０ｂが、実施例１と異なるのは、着脱操作判別手段２７の代わりにチューナユニット判別手段２９を備えた点である。また、チューナユニット１０ｂには、レジスタ１４が無い。
【００２７】
上述した実施例１に係るデジタル受信装置では、チューナユニット１０ａが取り外されたという履歴と、装置本体２０ａのメモリ２４の放送波情報保存領域に保存されている放送波情報の有効性との相関性に着眼してきたが、より詳細な管理を行うために着眼点を変えたのが実施例２に係るデジタル受信装置である。
【００２８】
チューナユニットが取り外されたという履歴は、メモリに格納された放送波情報保存領域に保存されている放送波情報が有効であることの必要条件ではあるが、必要十分条件ではない。すなわち、必要十分条件は、メモリの放送波情報保存領域に保存されている放送波情報がチューナユニットが受信可能としているものと一致していることである。
【００２９】
既に述べたように、チューナユニットが変更されるためには、少なくともチューナユニットが取り外されたことが検出できればよいが、本体装置の電源が切られている状態で、これを検出するためには、検出装置が新たに必要である。そこで、実施例２に係るデジタル受信装置では、本体装置２０ｂの電源２８が切られている状態で発生したチューナユニット１０ｂの着脱を無視し、本体装置２０ｂの電源２８を入れた際に、現在実装されているチューナユニット１０ｂの種類（受信可能な放送波種類）を判別することで対応するようになっている。
【００３０】
すなわち、実施例２に係るデジタル受信装置では、本体装置２０ｂの電源２８を入れた際、本体装置２０ｂの電源２８が入った状態でチューナユニット１０ｂが装着された際に、チューナユニット１０ｂの受信可能な放送波種類をチューナユニット判別手段２９が判別する。つまり、実施例２に係るデジタル受信装置では、スロット部２１に地上デジタル放送用のチューナユニット１０ｂを装着した場合に、チューナユニット判別手段２９が判別して、信号処理／制御部２３が、地上デジタル放送を受信可能であるという放送波情報を、メモリ２４上の放送波情報保存領域に保存する。
【００３１】
図４に、実施例２に係るデジタル受信装置における情報管理の手順を示す。
実施例２に係るデジタル受信装置では、図４に示すように、装置本体１０ｂの電源２８を入れた際に、チューナユニット判別手段２９により、実装されているチューナユニット１０ｂの受信可能な放送波種類を判別する（Ｓ１１）。このときの判別方法は、詳しくは後述する。
【００３２】
この時、判別できなければチューナユニット１０ｂは装着されておらず、判別できればチューナユニットが装着されている（Ｓ１２）。信号処理／制御部２３は、メモリ２４に保存されている放送波情報が有効であれば、処理を終了し、無効であれば、Ｓ１４に進む（Ｓ１３）。ここで、有効であることは、メモリ２４に放送波情報が保存されているということである。一方、無効であるということは、メモリ２４に放送波情報が保存されていないということであり、今まで全くチューナユニットが装着されていないか、削除されたかのいずれかである。
【００３３】
Ｓ１４において、メモリ２４の放送波情報保存領域に保存されている放送波情報とチューナユニット１０ｂの放送波種類の比較を行い（Ｓ１４）、一致していれば処理を終了し、異なれば不用となった情報を無効化した後（Ｓ１５）、Ｓ１６に進む。Ｓ１６において、放送波情報を再取得する（Ｓ１６）。情報再取得とは、信号処理／制御部２３が、チューナユニット判別手段２９からの判別結果に基づいて、メモリ２４の放送波情報保存領域に放送波情報を再書込みすることである。
【００３４】
このような処理を行うことにより、チューナユニット１０ｂが取り外された際、および未装着の際に、従来の技術のように、メモリ２４に保存した放送波情報を無効化することがなく、電源を入れるたびに自動的に放送波情報を調査して放送波情報の処理を判断するので、より効率的に情報の管理を行うことができる。
【００３５】
チューナユニット１０ｂが取り外されている間、装置本体２０ｂにはチューナ部分が存在しないので、放送波を受信することはできない。もし、この間に、本体メモリ２４の放送波情報保存領域を他の目的（ゲームや通信など）で使用する場合がある。この場合について図５に示す。信号処理／制御部２３は、例えば前記のような無効化要因が発生した場合は、本体メモリ２４の放送波情報保存領域を無効（Ｓ２１）にして他の目的に使用する。
但し、チューナユニット１０ｂが装着されると、図４のＳ１３で、メモリ２４の放送波情報は無効であるので情報再取得（Ｓ１６）となる。
【００３６】
次に放送波の種類を知るための手段を考える。
例えば、チューナユニット判別手段２９は、図６に示すように、スロット部２１のインターフェース部１３に専用ピン３１を設けている。予めこの専用ピン３１に出力される信号の状態を決めておけば、これらの信号線からの入力をデコードすることによって、スロット部２１に装着されたチューナユニット１０ｂの放送波種類を判別することができる。当然、放送波種類を判別するデータベースはメモリ２４に記憶されており、これらの中から該当する放送波情報を取得し、放送波情報保存領域に保存する。
【００３７】
また、チューナユニット判別手段２９の他の例は、図７に示すように、チューナユニット１０ｂ側のインターフェース部に機械的な凹凸３２を設け、スロット部２１側に設置した凹凸感知機構３３によって、その形状を認識することによって、スロット部２１に装着されたチューナユニット１０ｂの放送波種類を判断することができる。放送波種類を判別するデータベースはメモリ２４に記憶されており、チューナユニット判別手段２９はこれに基づいて判断し、これらの中から該当する放送波情報を取得し、放送波情報保存領域に保存する。
【００３８】
〔実施例３〕
図８は、本発明に係るデジタル受信装置の実施例３を示すブロック図である。このデジタル受信装置は、基本構造は実施例２と同じであるが、異なるのは、レジスタ１４を有しているチューナユニット１０ａであることである。そこにチューナユニット１０ａが受信可能な放送波種類を示す情報が記憶されている。そして、図９に示すように、インターフェース部２２に用意された汎用バス３４を用いて、チューナユニット判別手段２９がレジスタ１４の特定のアドレスをアクセスし、レジスタ１４の値を読み出すことによって、スロット部２１に装着されたチューナユニット１０ａの受信可能な放送波種類を判断することができる。
【００３９】
ここで装置本体２０ｂとチューナユニット１０ａとのインターフェース部１３，２２には、ＰＣＭＣＩＡのような汎用のインターフェースが望ましく、その場合は、ＰＣＭＣＩＡの規格に準拠したレジスタアクセスによって、チューナユニット１０ａの受信可能な放送波種類を表す情報が読み出される。
【００４０】
〔実施例４〕
上述した放送波の種類を知るためのチューナユニット判別手段は、意図的にチューナユニットに情報を持たせておき、その情報を本体側が読み取るものであった。しかし、特に意図的にチューナユニットから情報を読み取らなくても、受信された放送波の中には、放送波種類を表す情報が含まれている。そこで、受信した信号からチューナユニットが受信可能な放送波情報を得ることができる。
【００４１】
図１０は、本発明に係るデジタル受信装置の実施例４を示すブロック図である。このデジタル受信装置は、チューナユニット１０ｃと、装置本体２０ｂからなる。チューナユニット１０ｃは、チューナユニット１０ａに命令処理部１５と選局部１６を追加したものである。信号処理／制御部２３から入力された命令信号を命令処理部１５は処理解析して、選局命令信号を抽出する。これを基に選局部１６は以下に述べる判断を行い、チューナ部１１に指示されたチャンネルを選局させる。
【００４２】
実施例４に係るデジタル受信装置では、図１０に示すように、本体装置２０ｂの電源を入れた際、および装置本体２０ｂの電源２８が入った状態でチューナユニット１０ｃが装着された際に、通常の選局指示を信号処理／制御部２３がチューナユニット１０ｃに対して行う。なお、選局指示には、同調すべき周波数が記載されているものとする。
【００４３】
選局指示を受けたチューナユニット１０ｃは、指示された同調周波数が自身の同調可能な周波数範囲か否かを判断し、自身の同調可能な周波数範囲内ならそのまま選局を実施し、範囲外ならエラーを装置本体２０ｂ側に返す。このエラーを返す際のパラメータとして、自身の選局可能な放送波を示す情報を送出する。
【００４４】
エラー応答を受け取った装置本体２０ｂ側は、この応答に記載されている情報から、エラーの理由を判断する。ここで、指示した同調周波数が選局可能な周波数範囲外であった場合には、そこに記載されている受信可能な放送波の種類を示す情報からチューナユニット１０ｃの受信可能な放送波種類を判断することができる。
【００４５】
具体的な処理は、図１１に示すように、装置本体２０ｂの信号処理／制御部２３にチューナユニット１０ｃへの選局信号が発生すると、チューナユニット１０ｃを実装中か否かを判別する（Ｓ３１）。チューナユニット１０ｃが装着されているかは前述したようにチューナユニット判別手段２９で行う。なお、着脱操作判別手段を設けて、判定させてもよい。
ここで、チューナユニット１０ｃが実装中であれば、装置本体２０ｂの信号処理／制御部２３はチューナユニット１０ｃに対して選局指示を与える。選局指示はインターフェース２２，１３を介してチューナユニット１０ｃの命令処理部１５に入力され、指示解析が行われる。選局指示が選局部１６に入力されると、選局部１６は、指示された同調周波数が自身の同調可能な周波数範囲か否かを判断し（Ｓ３２）、自身の同調可能な周波数範囲内ならそのまま選局を実施し、範囲外ならエラーを本体側に返す。エラー応答は、命令処理部１５、インターフェース部１３，２２を介して装置本体２０ｂの信号処理／制御部２３に入力される。このエラーを返す際のパラメータとして、自身の選局可能な放送波を示す情報を送出する。
選局部１６は、チューナ部１１の選局が終了すると、終了応答信号を出力し、命令処理部１５、インターフェース部１３，２２を介して装置本体２０ｂの信号処理／制御部２３に入力され、処理を終了する。
【００４６】
信号処理／制御部２３は、チューナユニット１０ｃからエラー応答を受けると、エラー理由が同調周波数外を示すものか否かを判別し（Ｓ３３）、エラー理由が同調周波数外を示すものである場合には、さらにチューナユニット１０ｃの放送波が予定種類と同じか否かを判別する（Ｓ３４）。
【００４７】
ここで、チューナユニット１０ｃの放送波が予定種類と異なる場合には、チューナユニット管理情報を変更する（Ｓ３５）。また、エラー理由が同調周波数外を示さない場合（Ｓ３３においてＮｏ）、およびチューナユニット１０ｃの放送波が予定種類と同じ場合（Ｓ３４においてＹｅｓ）には、各種エラー処理（Ｓ３６）を行う。
【００４８】
ここでチューナユニット判別手段２９の処理について説明する。
例えば、ＢＳデジタル放送では、ＮＩＴ（Ｎｅｔｗｏｒｋ　Ｉｎｆｏｒｍａｔｉｏｎ　Ｔａｂｌｅ）の中に、Ｎｅｔｗｏｒｋ　Ｉｄという情報が含まれており、この情報は放送波に固有の値をとる。したがって、この値を調べることによってスロット部２１に装着されたチューナユニット１０ｃの種類を判断することができる。
【００４９】
チューナユニット判別手段２９は、本体側に電源が入ったことや、チューナユニット１０ｃが装着されたことを契機に、Ｎｅｔｗｏｒｋ　Ｉｄからチューナ判別を行い、チューナユニット１０ｃが受信可能な放送波情報をメモリ２４に格納する。
なお、ここでは、装置本体側からチューナユニットに選局指示を行う構成であったが、チューナユニットにあらかじめ、所定の選局を行うような構成を有しているものでもよい。
【００５０】
〔実施例５〕
実施例５の構成は実施例４を示す図１０と同じであるが、チューナユニット判別方法が上記実施例とは異なる。ＮＩＴの取得には、ある程度の時間を要する。すなわち、デジタル放送の場合には、ＮＩＴの送信周期は１０秒である。この１０秒の間、受信機は何の放送波を受信しているのか理解できず、場合によっては映像・音声をユーザに提示することもできない。
【００５１】
そこで、実施例５に係るデジタル受信装置では、チューナユニット１０ｃが本体装置２０ｂ側に出力するトランスポートストリームに放送波の種類を示す情報を追加する。現在、ＢＳデジタル放送の放送波を受信し、復調して作成されるトランスポートストリームの中には、転送レートを調整するために、多くのＮｕｌｌパケットが挿入されている。チューナユニットは、本体側ヘトランスポートストリームを送出する際に、Ｎｕｌｌパケット内の特定フィールドに放送波の種類を表す値を記載する。このトランスポートストリームを受信した本体側は、Ｎｕｌｌパケットを受信した際に、上述した特定フィールドの値を読み出し、チューナユニットの種類を判断することができる。
【００５２】
図１２に、トランスポートストリームとパケットの基本構造を示す。
チューナユニット１０ｃは、放送波を復調してトランスポートストリームを作成する。そのトランスポートストリームは、図１２に示すように、多くのパケットから構成されている。これらパケットの内、ＰＩＤ（パケットＩＤ）が、０ｘ１ＦＦＦのものをＮｕｌｌパケットと呼ぶ。すなわち、Ｎｕｌｌパケットとは、放送波の転送レートを調整するために、有効なパケットの隙間を埋めるパケットである。
【００５３】
このＮｕｌｌパケットには、任意の値を割り当てられる領域（フィールド）が存在するので、チューナユニット１０ｃ内でその領域を上書きする。すなわち、図１２において、Ｎｕｌｌパケットの場合には、ａｄａｐｔａｔｉｏｎ　ｆｉｅｌｄは存在せず、ｐａｙｌｏａｄに統合される。また、Ｎｕｌｌパケットの場合にはｐａｙｌｏａｄに任意の値を割り当てることができる。この部分に、放送波情報を書き込み、これに基づいてチューナユニット判別手段２９が判別を行う。
【００５４】
〔実施例６〕
図１３は、本発明に係るデジタル受信装置の実施例６を示すブロック図である。これは、２つのチューナユニット１０ａ，１０ｄが２つのスロット部に装着されている。チューナユニット１０ａは地上波デジタル放送、チューナユニット１０ｄはＢＳデジタル放送を受信可能とする。
【００５５】
図１４に、実施例６に係るデジタル受信装置で用いる情報管理方式を適用した際のメモリ状態を示す。
図１４において、「初期状態」におけるメモリ２４の放送波情報保存領域は、「ＢＳ基本領域」と「地上基本領域」で分割されている。チューナユニットを装着しない限り、この状態のままである。
ＢＳデジタル放送用のチューナユニット１０ｄが装着された場合が、「ＢＳチューナ装着」であり、「ＢＳ基本領域」はそのままに、「地上基本領域」が「ＢＳ拡張領域」として利用される。ＢＳデジタル放送用のチューナユニットを２台装着した場合も同様である。
【００５６】
地上デジタル放送用のチューナユニット１０ａが増設された場合が、「地上チューナ装着」であり、「地上基本領域」はそのままに、「ＢＳ基本領域」が「地上拡張領域」として利用される。地上デジタル放送用のチューナユニットを２台装着した場合も同様である。
最後に、ＢＳデジタル放送用と地上デジタル放送用のチューナユニットを各１台ずつ装着した場合が、「ＢＳ／地上チューナ装着」であり、状態は「初期状態」と同じになる。
以上のように、放送波情報保存領域を分割することによって、非常に効率の高い管理を実現することができる。
【００５７】
＜第２実施形態＞
第２実施形態は、第１実施形態と異なり、デジタル受信装置の装置本体もチューナを備え、ＢＳデジタル放送を受信することができる。なお、チューナユニットは、地上デジタル放送やＢＳデジタル放送を受信するものとする。
【００５８】
〔実施例７〕
図１５は、本発明に係るデジタル受信装置の実施例７を示すブロック図である。このデジタル受信装置は、実施例１の図１と構成はほぼ同じであるが、異なる点は、装置本体２０ｃにＢＳデジタル放送受信用にチューナ部３１と復調部３２を備えたことである。したがって、信号処理／制御部２４は、メモリ２４の放送波情報保存領域の一部にＢＳデジタル放送用の情報を保存する。メモリ２４は、スロット部２１に装着されたチューナユニット１０ａから取得した放送波に関する情報とは区別して格納している。
【００５９】
すなわち、メモリ２４の情報格納領域は、図１６に示すように、放送波情報保存領域があって、ＢＳ用領域とチューナユニット用領域とを備えている。スロット部２１に地上デジタル放送用のチューナユニット１０ａを装着した場合に、メモリ２４の放送波情報保存領域内のチューナユニット用領域には地上デジタル放送の情報が保存される。そして、チューナユニット１０ａが受信を開始してから十分な時間が経過した後には、地上デジタル放送用の情報の取得が終了し有効な状態となる。これ以降、装置本体２０ｃの電源１８をオンオフしても、チューナユニット１０ａを取り外さない限りは、放送波情報保存領域内のチューナユニット用領域に保存されている情報は地上デジタル放送用の情報であり、チューナユニット１０ａと一致した状態、すなわち、情報が有効な状態のままとなる。
【００６０】
不一致が発生する場合、すなわち、情報が無効になるのは、少なくともスロット部２１からチューナユニット１０ａを取り外した後である。したがって、スロット部２１からチューナユニット１０ａが取り外されたことを着脱操作判別手段２７により検知することによって、少なくとも放送波情報保存領域内のチューナユニット用領域に保存されている放送波情報がチューナユニット１０ａのレジスタ１４の放送波情報と一致するか否かを判断することができる。
【００６１】
〔実施例８〕
上述した実施例８に係るデジタル受信装置における処理では、放送波情報保存領域を分割／統合して、情報管理の効率を高めている。
ここで、不要となった領域を無効化し、他の放送波用に振り分けることは比較的簡単に実施することができるが、使用中の領域を他の用途と分割することは、予め分割を想定していない場合には、既存の情報が使用できなくなり再取得が必要となるなどの弊害が生まれる。そこで、実施例８に係るデジタル受信装置では、受信を想定し得る放送波の種類に応じて、予め放送波情報保存領域を分割し、各々の放送波に対する基本領域を決めておく。そして、放送波を受信した際には、該当する放送波用の基本領域に最低限必要な情報を記憶し、空き領域には拡張用の情報を記憶する。
【００６２】
図１６に、実施例８に係るデジタル受信装置で用いる情報管理方式を適用した際のメモリ状態の一例を示す。なお、ここでは、ＢＳデジタル受信機（本体）に、１つのカードスロットを設けるとともに、受信可能な放送波をＢＳデジタル放送と地上デジタル放送に限定して考える。
【００６３】
図１６において、「初期状態」における放送波情報保存領域は、「ＢＳ基本領域」と「地上基本領域」で分割されている。
当初、本体内蔵のＢＳチューナのみを使用し、チューナユニットを装着していない場合が、「本体単独動作」である。この状態では、「地上基本領域」が「ＢＳ拡張領域」として利用される。
【００６４】
ＢＳデジタル放送用のチューナユニットが装着された場合が、「ＢＳチューナ装着」であり、状態は「本体単独動作」と変わらない。地上デジタル放送用のチューナユニットが装着された場合が、「地上チューナ装着」であり、状態は「初期状態」と同じになる。
以上のように、放送波情報保存領域を分割することによって、非常に効率の高い管理を実現することができる。
【００６５】
〔実施例９〕
図１７は、本発明に係るデジタル受信装置の第９実施例を示すブロック図である。このデジタル受信装置は、このデジタル受信装置は、実施例２の図３と構成はほぼ同じであるが、異なる点は、装置本体２０ｄにＢＳデジタル放送受信用にチューナ部３１と復調部３２を備えたことである。
【００６６】
上述した実施例８に係るデジタル受信装置では、メモリ２４の放送波情報保存領域をＢＳデジタル受信機内蔵チューナ部用とスロット部に増設されたチューナユニット用に分けていたが、必ずしもその必要はなく、１つの領域として捉えた方が効率の良い場合が多々ある。例えば、ユーザがチューナユニットを所有しておらず、チューナユニットが実装されていない場合である。この場合には、チューナユニット用の放送波情報保存領域は全く無駄になっている。また、スロット部２１ヘ内蔵チューナと同種類のチューナユニットが実装されている場合には、全く同じ情報を２重に保存していることになる。このような場合には、放送波情報保存領域全体を１つの領域として捉え、より多くの情報を記憶しておくことが望ましい。
【００６７】
一方、スロット部２１に地上デジタル放送用のチューナユニット１０ｂを装着した場合には、ＢＳ用の情報と地上波用の情報の２種類を保存しておく必要がある。したがって、現在受信可能な放送波の種類に応じて、放送波情報保存領域を分割し、より多くの情報を保存できるようにして、情報管理の効率を高めることができる。
【００６８】
図１８に、実施例９に係るデジタル受信装置における処理の手順を示す。
実施例９に係るデジタル受信装置では、本体の電源を入れた際、本体の電源が入った状態でチューナユニット１０ｂが装着された際、本体の電源が入った状態でチューナユニット１０ｂが外された際に、チューナユニットの種類を判別する。
上記の３つの条件を契機に、受信可能な放送波の種類を確認し、その数に応じて放送波情報保存領域を分割する。
【００６９】
なお、ここで注意すべきは、放送波情報保存領域を分割するのは、チューナユニットの総数ではなく、受信可能な放送波の種類の数となっている点である。このため、放送波の種類によっては、含まれるサービス、すなわち、チャンネル数の違いなどから、情報量が極端に異なる場合もあるので、一概に放送波情報保存領域を等分することが好ましいとは限らない。情報量に応じた比率で放送波情報保存領域を分割するなどして、より効率を高めることも可能である。
【００７０】
具体的な処理は、図１８に示すように、信号処理／制御部２３は、本体の電源が入った状態でチューナユニット１０ｂが装着された際、本体の電源が入った状態でチューナユニット１０ｂが外された際に、チューナユニット１０ｂの種類を判別する（Ｓ４１）。さらに、チューナユニット１０ｂを実装中か否かを判別するとともに（Ｓ４２）、内蔵チューナ部３１とチューナユニット１０ｂの放送波種類が異なるか否かを判別する（Ｓ４３）。
【００７１】
ここで、チューナユニット１０ｂを実装中で、内蔵チューナ部３１とチューナユニット１０ｂの放送波種類が異なる場合には、内蔵チューナ部３１と異なる放送波種類の情報が存在するか否かを判別する（Ｓ４４）。そして、内蔵チューナ部１０ｂと異なる放送波種類の情報が存在する場合には、さらに、その情報の放送波とチューナユニット１０ｂの放送波種類が同じか否かを判別し（Ｓ４５）、両放送波の種類が異なる場合には、その情報を無効化する（Ｓ４６）。続いて、放送波情報保存領域を分割し（Ｓ４７）、チューナユニット用のデータを取得する（Ｓ４８）。
【００７２】
また、チューナユニット１０ｂが実装されていない場合（Ｓ４２においてＮｏ）、あるいは内蔵チューナ部３１とチューナユニット１０ｂの放送波種類が同じ場合（Ｓ４３においてＮｏ）で、内蔵チューナ部３１と異なる放送波種類の情報が存在する場合（Ｓ５０）には、情報を無効化し（Ｓ５１）、放送波保存領域を統合する（Ｓ５２）。
【００７３】
また、内蔵チューナ部３１と異なる放送波種類が存在しない場合（Ｓ４４においてＮｏ）には、そのまま、放送波情報保存領域を分割し（Ｓ４７）、チューナユニット用のデータを取得する（Ｓ４８）。
【００７４】
さらに、内蔵チューナ部３１と異なる放送波種類の情報が存在し、その情報の放送波とチューナユニット１０ｂの放送波種類が同じ場合（Ｓ４５においてＹｅｓ）には、その情報が有効であるか否かを判別し（Ｓ４９）、その情報が無効な場合には、チューナユニット用のデータを取得する（Ｓ４８）。
【００７５】
【発明の効果】
以上述べたように、本発明に係るデジタル受信装置によれば、チューナユニットの種類や実装状態に応じて、本体内のメモリ管理を効率的に行うことができる。また、一度取得した放送波に関する情報の有効性を、チューナユニットの実装状況に合わせて効率的に判断することができる。そして、これらの効果により放送波に関する情報取得の待ち時間や、電源を入れてから選局が可能となるまでの時間を短縮することが可能となり、ユーザに対するストレスが少なく、使い勝手の良い受信装置を提供することができる。さらに、本発明に係るデジタル受信装置では、実装されているチューナユニットの種類を知るための手段を提供することができる。
【図面の簡単な説明】
【図１】本発明に係るデジタル受信装置の実施例１を示すブロック図である。
【図２】実施例１に係るデジタル受信装置における情報管理の手順を示すフローチャートである。
【図３】本発明に係るデジタル受信装置の実施例２を示すブロック図である。
【図４】実施例２に係るデジタル受信装置における情報管理の手順を示すフローチャートである。
【図５】実施例２に係るデジタル受信装置における情報管理の他の手順を示すフローチャートである。
【図６】チューナユニット判別手段の構成を示す斜視図である。
【図７】チューナユニット判別手段の他の構成を示す斜視図である。
【図８】本発明に係るデジタル受信装置の実施例３を示すブロック図である。
【図９】チューナユニット判別手段のさらに他の構成を示す斜視図である。
【図１０】本発明に係るデジタル受信装置の実施例４を示すブロック図である。
【図１１】実施例４に係るデジタル受信装置における情報管理の他の手順を示すフローチャートである。
【図１２】トランスポートストリームとパケットの基本構造を示す説明図である。
【図１３】本発明に係るデジタル受信装置の実施例６を示すブロック図である。
【図１４】実施例６に係るデジタル受信装置で用いる情報管理方式を適用した際のメモリ状態を示す説明図である。
【図１５】本発明に係るデジタル受信装置の実施例７を示すブロック図である。
【図１６】実施例８に係るデジタル受信装置で用いる情報管理方式を適用した際のメモリ状態の一例を示す説明図である。
【図１７】本発明に係るデジタル受信装置の第９実施例を示すブロック図である。
【図１８】実施例９に係るデジタル受信装置における処理の手順を示すフローチャートである。
【図１９】従来のデジタル受信装置を示すブロック図である。
【図２０】他の従来のデジタル受信装置を示すブロック図である。
【図２１】さらに他の従来のデジタル受信装置を示すブロック図である。
【図２２】従来のデジタル受信装置の情報管理手順を示すフローチャートである。
【符号の説明】
１０ａ，１０ｂ，１０ｃ，１０ｄ　チューナユニット
１１，３１　チューナ部
１２，３２　復調部
１３，２２　インターフェース部
１４　レジスタ
２０ａ，２０ｂ，２０ｃ，２０ｄ　装置本体
２１　スロット部
２３　信号処理／制御部
２４　メモリ
２５　表示手段
２６　音声出力手段
２７　着脱操作判別手段
２８　電源
２９　チューナユニット判別手段
【図１】
2004023451.tif 000003
【図２】
2004023451.tif 000004
【図３】
2004023451.tif 000005
【図４】
2004023451.tif 000006
【図５】
2004023451.tif 000007
【図６】
2004023451.tif 000008
【図７】
2004023451.tif 000009
【図８】
2004023451.tif 000010
【図９】
2004023451.tif 000011
【図１０】
2004023451.tif 000012
【図１１】
2004023451.tif 000013
【図１２】
2004023451.tif 000014
【図１３】
2004023451.tif 000015
【図１４】
2004023451.tif 000016
【図１５】
2004023451.tif 000017
【図１６】
2004023451.tif 000018
【図１７】
2004023451.tif 000019
【図１８】
2004023451.tif 000020
【図１９】
2004023451.tif 000021
【図２０】
2004023451.tif 000022
【図２１】
2004023451.tif 000023
【図２２】
2004023451.tif 000024